(57)【要約】【課題】より小さいサイズの電線を接続することが可能なねじ端子台、ねじ端子台用角座金、電動機制御装置及び電気機器を提供する。【解決手段】電動機制御装置１０は、電線Ｃの芯線Ｃｓに圧着された圧着部２２を有する圧着端子Ｔが接続される端子金具３８と、圧着端子Ｔ又は圧着端子Ｔにより圧着された芯線Ｃｓとの干渉を回避するための切り欠き部６０が少なくとも１つの縁に形成されている角座金４０と、角座金４０と端子金具３８との間にて圧着端子Ｔを固定する端子ねじ４２とを有するねじ端子台１２を備える。【選択図】図６
2013026000.tif 000002
【特許請求の範囲】
【請求項１】
電線の芯線に圧着された圧着部を有する圧着端子が接続される端子金具と、
前記圧着端子又は該圧着端子により圧着された前記芯線との干渉を回避するための切り欠き部が少なくとも１つの縁に形成されている角座金と、
前記角座金と前記端子金具との間にて前記圧着端子を固定する端子ねじとを有するねじ端子台を備えた電動機制御装置。
【請求項２】
請求項１記載の電動機制御装置において、前記切り欠き部の開口幅が該切り欠き部の深さよりも長い電動機制御装置。
【請求項３】
請求項１記載の電動機制御装置において、前記切り欠き部の形状は、前記縁に沿う第１の方向の長さが、該第１の方向と交差する第２の方向の長さよりも大きくなっている電動機制御装置。
【請求項４】
請求項２又は３記載の電動機制御装置において、前記切り欠き部の幅が、開口側と反対の側に向かうに従って狭くなっている電動機制御装置。
【請求項５】
請求項１記載の電動機制御装置において、前記切り欠き部の形状が、平面視して台形状となっている電動機制御装置。
【請求項６】
請求項１〜５のいずれか１項に記載の電動機制御装置において、２重定格にて動作する電動機制御装置。
【請求項７】
電線の芯線に圧着された圧着部を有する圧着端子が接続される端子金具と、
前記圧着端子又は該圧着端子により圧着された前記芯線との干渉を回避するための第１の切り欠き部が１つの縁だけに形成されるとともに、該第１の切り欠き部とは反対の側の縁に前記第１の切り欠き部の開口方向を定める第２の切り欠き部が形成されている角座金と、
前記角座金と前記端子金具との間にて前記圧着端子を固定する端子ねじとを有するねじ端子台を備えた電動機制御装置。
【請求項８】
電線の芯線に圧着された圧着部を有する圧着端子が接続される端子金具と、
前記圧着端子又は該圧着端子により圧着された前記芯線との干渉を回避するための切り欠き部が少なくとも１つの縁に形成されている角座金と、
前記角座金と前記端子金具との間にて前記圧着端子を固定する端子ねじとを備えたねじ端子台。
【請求項９】
圧着端子又は該圧着端子により圧着された電線の芯線との干渉を回避するための切り欠き部が縁に形成されているねじ端子台用角座金。
【請求項１０】
電線の芯線に圧着された圧着部を有する圧着端子が接続される端子金具と、
前記圧着端子又は該圧着端子により圧着された前記芯線との干渉を回避するための切り欠き部が少なくとも１つの縁に形成されている角座金と、
前記角座金と前記端子金具との間にて前記圧着端子を固定する端子ねじとを有するねじ端子台を備えた電気機器。
【発明の詳細な説明】
【技術分野】
【０００１】
本発明は、ねじ端子台、ねじ端子台用角座金、電動機制御装置及び電気機器に関する。
【背景技術】
【０００２】
特許文献１には、電気機器の端子装置が記載されている。この端子装置は、端子ねじと、端子ねじの首部に装着される電線押え金具を有している。この電線押え金具の４辺のほぼ中央部には、それぞれ切り欠きが設けられている。端子装置には、この切り欠きと対応する案内リブが設けられている。
この端子装置によれば、端子ねじの転倒が防止される。
【先行技術文献】
【特許文献】
【０００３】
【特許文献１】特公平７−４４０４５号公報
【発明の概要】
【発明が解決しようとする課題】
【０００４】
本発明は、より小さいサイズの電線を接続することが可能なねじ端子台、ねじ端子台用角座金、電動機制御装置及び電気機器を提供することを目的とする。
【課題を解決するための手段】
【０００５】
前記目的に沿う第１の発明に係る電動機制御装置は、電線の芯線に圧着された圧着部を有する圧着端子が接続される端子金具と、
前記圧着端子又は該圧着端子により圧着された前記芯線との干渉を回避するための切り欠き部が少なくとも１つの縁に形成された角座金と、
前記角座金と前記端子金具との間にて前記圧着端子を固定する端子ねじとを有するねじ端子台を備える。
【０００６】
前記目的に沿う第２の発明に係る電動機制御装置は、電線の芯線に圧着された圧着部を有する圧着端子が接続される端子金具と、
前記圧着端子又は該圧着端子により圧着された前記芯線との干渉を回避するための第１の切り欠き部が１つの縁だけに形成されるとともに、該第１の切り欠き部とは反対の側の縁に前記第１の切り欠き部の開口方向を定める第２の切り欠き部が形成された角座金と、
前記角座金と前記端子金具との間にて前記圧着端子を固定する端子ねじとを有するねじ端子台を備える。
【０００７】
前記目的に沿う第３の発明に係るねじ端子台は、電線の芯線に圧着された圧着部を有する圧着端子が接続される端子金具と、
前記圧着端子又は該圧着端子により圧着された前記芯線との干渉を回避するための切り欠き部が少なくとも１つの縁に形成された角座金と、
前記角座金と前記端子金具との間にて前記圧着端子を固定する端子ねじとを備える。
【０００８】
前記目的に沿う第４の発明に係るねじ端子台用角座金は、圧着端子又は該圧着端子により圧着された電線の芯線との干渉を回避するための切り欠き部が縁に形成されている。
【０００９】
前記目的に沿う第５の発明に係る電気機器は、電線の芯線に圧着された圧着部を有する圧着端子が接続される端子金具と、
前記圧着端子又は該圧着端子により圧着された前記芯線との干渉を回避するための切り欠き部が少なくとも１つの縁に形成された角座金と、
前記角座金と前記端子金具との間にて前記圧着端子を固定する端子ねじとを有するねじ端子台を備える。
【発明の効果】
【００１０】
本発明によれば、本発明の構成を有しない場合に比べて、より小さいサイズの電線を接続することができる。
【図面の簡単な説明】
【００１１】
【図１】本発明の第１の実施の形態に係るインバータの内部構造図である。
【図２】同インバータが有するねじ端子台の斜視図である。
【図３Ａ】同インバータが有するねじ端子台の平面図である。
【図３Ｂ】同インバータが有するねじ端子台の正面図である。
【図３Ｃ】同インバータが有するねじ端子台の側面図である。
【図４】図３ＡのＡ−Ａ断面を示す斜視図である。
【図５】リード部につながる端子金具の斜視図である。
【図６】同インバータが有するねじ端子台の角座金の斜視図である。
【図７Ａ】同インバータが有するねじ端子台の角座金の平面図である。
【図７Ｂ】同インバータが有するねじ端子台の角座金の側面図である。
【図８】同インバータが有するねじ端子台の角座金が、圧着端子を固定する様子を示す斜視図である。
【図９】同インバータが有するねじ端子台の角座金が、圧着端子を固定する様子を示す平面図である。
【図１０】同インバータが有するねじ端子台の角座金が、電線の芯線を固定する様子を示す平面図である。
【図１１】本発明の第２の実施の形態に係るインバータが有するねじ端子台の角座金が、圧着端子を固定する様子を示す平面図である。
【図１２】同インバータが有するねじ端子台の角座金が、電線の芯線を固定する様子を示す平面図である。
【発明を実施するための形態】
【００１２】
続いて、添付した図面を参照しつつ、本発明を具体化した実施の形態につき説明し、本発明の理解に供する。なお、各図において、説明に関連しない部分は図示を省略する場合がある。
【００１３】
〔第１の実施の形態〕
本発明の第１の実施の形態に係るインバータ（電動機制御装置及び電子機器の一例）１０は、図示しないモータを制御することができる。このインバータ１０は、軽負荷定格又は重負荷定格が選択できる２重定格を有している。従って、駆動するモータ容量に応じて、インバータ１０には複数のサイズの電線が接続される可能性がある。
インバータ１０は、図１に示すように、外部端子として、多極のねじ端子台１２を有している。
【００１４】
インバータ１０に接続される電流供給用の電線や、信号伝達用の電線の末端には、圧着端子Ｔ（図２、図９参照）が組み付けられる。圧着端子Ｔは、電線Ｃの芯線Ｃｓ（図９参照）に圧着される圧着部２２と、圧着部２２の先端側にねじ端子台１２に接続される接続部２４とを有している。電線Ｃは、圧着端子Ｔの圧着部２２から芯線Ｃｓが先端側に例えば１ｍｍ程度出た状態で圧着される（図９参照）。
電線Ｃは、この圧着端子Ｔの接続部２４がねじ端子台１２に接続されることにより、インバータ１０に電気的に接続される。なお、圧着端子Ｔではなく、電線Ｃの芯線Ｃｓが直接ねじ端子台１２に接続される場合もある。
【００１５】
ねじ端子台１２は、図２、図３Ａ〜図３Ｃ及び図４に示すように、ハウジング３０に納められた複数の端子部３２を有している。各端子部３２は、端子金具３８と、角座金（ねじ端子台用角座金）４０と、端子ねじ４２とを有している。
端子金具３８は、電線Ｃの末端の圧着端子Ｔの接続部２４が接続される。端子金具３８は、ねじ端子台１２から突出するリード部４４に電気的につながっている（図５参照）。リード部４４は、図１に示すヒートシンク５２に固定された基板５４に電気的に接続される。
角座金４０は、平面視して矩形状の部材である。角座金４０は、圧着端子Ｔの接続部２４又は電線Ｃの芯線Ｃｓに接触する。
端子ねじ４２は、圧着端子Ｔの接続部２４又は電線Ｃの芯線Ｃｓを角座金４０と端子金具３８との間にて挟み込み、固定することができる。端子ねじ４２は、端子ねじ４２の首部に角座金４０を保持することができる。
【００１６】
次に、角座金４０について詳細に説明する。
図６に示すように、角座金４０の各縁の中央部には、圧着端子Ｔの圧着部２２又は圧着部２２により圧着された芯線Ｃｓとの干渉を回避するための切り欠き部６０が形成されている。なお、切り欠き部６０は少なくとも１つの縁に形成されていれば良い。
同図６及び図７Ａに示すように、この切り欠き部６０は、縁に沿う開口幅（縁に沿う第１の方向の長さ）Ｗ１が、切り欠き部６０の深さ（第１の方向と交差する第２の方向の長さ）Ｄ１よりも広くなるように形成されている。また、切り欠き部６０は、その幅が開口側と反対の側（端子ねじ４２の側）に向かうに従って狭くなるように形成されている。
別の観点から説明すると、この切り欠き部６０は、端子ねじ４２の軸方向から見て（平面視して）台形状である。切り欠き部６０の縁に沿う部分が下底に相当し、端子ねじ４２の側の辺が上底に相当する。
また、各切り欠き部６０よりも内側の中央部には、端子金具３８の側に突出する突起部６４が形成されている（図６参照）。
【００１７】
一方、図６及び図７Ｂに示すように、角座金４０の角部には、それぞれ、切り欠き部６０を除いた縁の中央部から、端子金具３８の方向に折り曲げられた折り曲げ部６６が形成されている。この折り曲げ部６６の端子金具３８の側の面（圧着端子Ｔの接続部２４又は電線Ｃの芯線Ｃｓに接する側の面）は、例えば平面である。折り曲げ部６６の端子金具３８の側の面は、端子部３２に接続される芯線Ｃｓの表面に沿う曲面としても良い。即ち、折り曲げ部６６は、折り曲げ部６６が形成されていない場合よりも、端子部３２に接続された芯線Ｃｓとの接触面積を増大させることができれば良い。
【００１８】
従って、本実施の形態によれば、図８及び図９に示すように、圧着端子Ｔ又は圧着端子Ｔにより圧着された芯線Ｃｓとの干渉を回避するための切り欠き部６０が形成されているので、より小さいサイズの圧着端子Ｔを端子部３２に接続できる。即ち、より小さいサイズの電線Ｃをねじ端子台１２に接続できる。
また、第１切り欠き部６０の幅が開口側と反対の側に向かうに従って狭くなるように形成されているので、端子ねじ４２を締結する際に角座金４０が端子ねじ４２の中心軸回りにずれていても、圧着端子Ｔの固定が容易となる。
さらに、角座金４０の角部に折り曲げ部６６が形成されているので、電線Ｃの芯線Ｃｓを端子部３２に直接接続する場合（図１０参照）には、芯線Ｃｓと角座金４０との接触面積（ケーブルを保持する力）を確保できる。
【００１９】
〔第２の実施の形態〕
続いて、本発明の第２の実施の形態に係るインバータについて説明する。第１の実施の形態に係るインバータ１０と同一の構成要素については、同じ符号を付して詳しい説明を省略する。
【００２０】
本実施の形態に係るインバータに設けられたねじ端子台の角座金４０ａの縁には、図１１に示すように、圧着端子Ｔ又は圧着端子Ｔにより圧着された芯線Ｃｓとの干渉を回避するための第１の切り欠き部６１が１つの縁だけに形成されている。
また、第１の切り欠き部６１とは反対の側の縁には、第１の切り欠き部６１の開口方向を定める第２の切り欠き部６２が形成されている。ねじ端子台１２のハウジング３０には、この第２の切り欠き部６２に対応する突起（不図示）が設けられている。
この第２の切り欠き部６２は、縁に沿う開口幅（縁に沿う方向の長さ）Ｗ２が、第２の切り欠き部６２の深さ（縁に沿う方向と交差する方向の長さ）Ｄ２よりも広くなるように形成されている。また、第２の切り欠き部６２の開口幅Ｗ２は、その幅が開口側と反対の側に向かうに従って狭くなるように形成されている。
なお、第１の切り欠き部６１及び第２の切り欠き部６２が形成された縁とは異なる縁には、切り欠き部は形成されていない。
【００２１】
従って、本実施の形態によれば、圧着端子Ｔ又は圧着端子Ｔにより圧着された芯線Ｃｓとの干渉を回避するための第１の切り欠き部６１が形成されているので、より小さいサイズの圧着端子Ｔを端子部３２に接続できる。即ち、より小さいサイズの電線Ｃをねじ端子台１２に接続できる。
また、第１の切り欠き部６１の幅が開口側と反対の側に向かうに従って狭くなるように形成されているので、端子ねじ４２を締結する際に角座金４０ａが端子ねじ４２の中心軸回りにずれていても、圧着端子Ｔの固定が容易となる。
また、第２の切り欠き部６２をハウジング３０に形成された突起に嵌合させて、角座金４０ａの位置を合わせると、第１の切り欠き部６１の開口方向が定まるので、組み立て作業上のミスの発生が抑えられる。
さらに、電線Ｃの芯線Ｃｓを角座金４０ａと端子金具３８との間にて挟みこむ場合には、図１０及び図１２を対比すると明らかなように、角座金４０ａの芯線Ｃｓに接する部分に切り欠き部が形成されていないので、芯線Ｃｓと角座金４０ａとの接触面積（ケーブルを保持する力）をより大きく確保できる（図１２参照）。
【００２２】
なお、本発明は、前述の実施の形態に限定されるものではなく、本発明の要旨を変更しない範囲での変更は可能である。例えば、前述の実施の形態や変形例の一部又は全部を組み合わせて発明を構成する場合も本発明の技術的範囲に含まれる。
【００２３】
圧着端子Ｔは、前述の実施の形態に限定されるものではない。圧着端子Ｔは、例えば、裸圧着端子及び絶縁被覆付圧着端子等、任意の種類の圧着端子が適用可能である。
圧着端子Ｔの接続部の形状は、丸型に限定されるものではない。圧着端子の接続部の形状は、例えば、先開形であっても良い。
電気機器はインバータに限定されるものではない。電気機器の他の例として、制御装置や計測器等が挙げられる。
【符号の説明】
【００２４】
１０：インバータ、１２：ねじ端子台、２２：圧着部、２４：接続部、３０：ハウジング、３２：端子部、３８：端子金具、４０、４０ａ：角座金、４２：端子ねじ、４４：リード部、５２：ヒートシンク、５４：基板、６０：切り欠き部、６１：第１の切り欠き部、６２：第２の切り欠き部、６４：突起部、６６：折り曲げ部、Ｔ：圧着端子、Ｃ：電線、Ｃｓ：芯線
【図１】
2013026000.tif 000003
【図２】
2013026000.tif 000004
【図３Ａ】
2013026000.tif 000005
【図３Ｂ】
2013026000.tif 000006
【図３Ｃ】
2013026000.tif 000007
【図４】
2013026000.tif 000008
【図５】
2013026000.tif 000009
【図６】
2013026000.tif 000010
【図７Ａ】
2013026000.tif 000011
【図７Ｂ】
2013026000.tif 000012
【図８】
2013026000.tif 000013
【図９】
2013026000.tif 000014
【図１０】
2013026000.tif 000015
【図１１】
2013026000.tif 000016
【図１２】
2013026000.tif 000017
【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
電線の芯線に圧着された圧着部を有する圧着端子が接続される端子金具と、
前記圧着端子の圧着部又は該圧着部から先端側に出た前記芯線との干渉を回避するための切り欠き部が少なくとも１つの縁に形成されている板状の角座金と、
前記角座金と前記端子金具との間にて前記圧着端子を固定する端子ねじとを有するねじ端子台を備え、
前記切り欠き部の開口幅が該切り欠き部の深さよりも長く、該深さの方向が、該切り欠き部が形成されている前記縁と反対の側の縁に向かう方向となっている電動機制御装置。
【請求項２】
請求項１記載の電動機制御装置において、前記切り欠き部の幅が、開口側と反対の側に向かうに従って狭くなっている電動機制御装置。
【請求項３】
請求項１記載の電動機制御装置において、前記切り欠き部の形状が、平面視して台形状となっている電動機制御装置。
【請求項４】
請求項１〜３のいずれか１項に記載の電動機制御装置において、２重定格にて動作する電動機制御装置。
【請求項５】
電線の芯線に圧着された圧着部を有する圧着端子が接続される端子金具と、
前記圧着端子の圧着部又は該圧着部から先端側に出た前記芯線との干渉を回避するための第１の切り欠き部が１つの縁だけに形成されるとともに、該第１の切り欠き部とは反対の側の縁に前記第１の切り欠き部の開口方向を定める第２の切り欠き部が形成されている板状の角座金と、
前記角座金と前記端子金具との間にて前記圧着端子を固定する端子ねじとを有するねじ端子台を備え、
前記第１の切り欠き部の開口幅が該第１の切り欠き部の深さよりも長く、該深さの方向が、該第１の切り欠き部が形成されている前記縁と反対の側の縁に向かう方向となっている電動機制御装置。
【請求項６】
電線の芯線に圧着された圧着部を有する圧着端子が接続される端子金具と、
前記圧着端子の圧着部又は該圧着部から先端側に出た前記芯線との干渉を回避するための切り欠き部が少なくとも１つの縁に形成されている板状の角座金と、
前記角座金と前記端子金具との間にて前記圧着端子を固定する端子ねじとを備え、
前記切り欠き部の開口幅が該切り欠き部の深さよりも長く、該深さの方向が、該切り欠き部が形成されている前記縁と反対の側の縁に向かう方向となっているねじ端子台。
【請求項７】
電線の芯線に圧着された圧着部を有する圧着端子が接続される端子金具と、
前記圧着端子の圧着部又は該圧着部から先端側に出た前記芯線との干渉を回避するための切り欠き部が少なくとも１つの縁に形成されている板状の角座金と、
前記角座金と前記端子金具との間にて前記圧着端子を固定する端子ねじとを有するねじ端子台を備え、
前記切り欠き部の開口幅が該切り欠き部の深さよりも長く、該深さの方向が、該切り欠き部が形成されている前記縁と反対の側の縁に向かう方向となっている電気機器。
【手続補正２】
【補正対象書類名】明細書
【補正対象項目名】全文
【補正方法】変更
【補正の内容】
【発明の詳細な説明】
【技術分野】
【０００１】
本発明は、ねじ端子台、電動機制御装置及び電気機器に関する。
【背景技術】
【０００２】
特許文献１には、電気機器の端子装置が記載されている。この端子装置は、端子ねじと、端子ねじの首部に装着される電線押え金具を有している。この電線押え金具の４辺のほぼ中央部には、それぞれ切り欠きが設けられている。端子装置には、この切り欠きと対応する案内リブが設けられている。
この端子装置によれば、端子ねじの転倒が防止される。
【先行技術文献】
【特許文献】
【０００３】
【特許文献１】特公平７−４４０４５号公報
【発明の概要】
【発明が解決しようとする課題】
【０００４】
本発明は、より小さいサイズの電線を接続することが可能なねじ端子台、電動機制御装置及び電気機器を提供することを目的とする。
【課題を解決するための手段】
【０００５】
前記目的に沿う第１の発明に係る電動機制御装置は、電線の芯線に圧着された圧着部を有する圧着端子が接続される端子金具と、
前記圧着端子の圧着部又は該圧着部から先端側に出た前記芯線との干渉を回避するための切り欠き部が少なくとも１つの縁に形成されている板状の角座金と、
前記角座金と前記端子金具との間にて前記圧着端子を固定する端子ねじとを有するねじ端子台を備え、
前記切り欠き部の開口幅が該切り欠き部の深さよりも長く、該深さの方向が、該切り欠き部が形成されている前記縁と反対の側の縁に向かう方向となっている。
【０００６】
前記目的に沿う第２の発明に係る電動機制御装置は、電線の芯線に圧着された圧着部を有する圧着端子が接続される端子金具と、
前記圧着端子の圧着部又は該圧着部から先端側に出た前記芯線との干渉を回避するための第１の切り欠き部が１つの縁だけに形成されるとともに、該第１の切り欠き部とは反対の側の縁に前記第１の切り欠き部の開口方向を定める第２の切り欠き部が形成されている板状の角座金と、
前記角座金と前記端子金具との間にて前記圧着端子を固定する端子ねじとを有するねじ端子台を備え、
前記第１の切り欠き部の開口幅が該第１の切り欠き部の深さよりも長く、該深さの方向が、該第１の切り欠き部が形成されている前記縁と反対の側の縁に向かう方向となっている。
【０００７】
前記目的に沿う第３の発明に係るねじ端子台は、電線の芯線に圧着された圧着部を有する圧着端子が接続される端子金具と、
前記圧着端子の圧着部又は該圧着部から先端側に出た前記芯線との干渉を回避するための切り欠き部が少なくとも１つの縁に形成されている板状の角座金と、
前記角座金と前記端子金具との間にて前記圧着端子を固定する端子ねじとを備え、
前記切り欠き部の開口幅が該切り欠き部の深さよりも長く、該深さの方向が、該切り欠き部が形成されている前記縁と反対の側の縁に向かう方向となっている。
【０００８】
【０００９】
前記目的に沿う第４発明に係る電気機器は、電線の芯線に圧着された圧着部を有する圧着端子が接続される端子金具と、
前記圧着端子の圧着部又は該圧着部から先端側に出た前記芯線との干渉を回避するための切り欠き部が少なくとも１つの縁に形成されている板状の角座金と、
前記角座金と前記端子金具との間にて前記圧着端子を固定する端子ねじとを有するねじ端子台を備え、
前記切り欠き部の開口幅が該切り欠き部の深さよりも長く、該深さの方向が、該切り欠き部が形成されている前記縁と反対の側の縁に向かう方向となっている。
【発明の効果】
【００１０】
本発明によれば、本発明の構成を有しない場合に比べて、より小さいサイズの電線を接続することができる。
【図面の簡単な説明】
【００１１】
【図１】本発明の第１の実施の形態に係るインバータの内部構造図である。
【図２】同インバータが有するねじ端子台の斜視図である。
【図３Ａ】同インバータが有するねじ端子台の平面図である。
【図３Ｂ】同インバータが有するねじ端子台の正面図である。
【図３Ｃ】同インバータが有するねじ端子台の側面図である。
【図４】図３ＡのＡ−Ａ断面を示す斜視図である。
【図５】リード部につながる端子金具の斜視図である。
【図６】同インバータが有するねじ端子台の角座金の斜視図である。
【図７Ａ】同インバータが有するねじ端子台の角座金の平面図である。
【図７Ｂ】同インバータが有するねじ端子台の角座金の側面図である。
【図８】同インバータが有するねじ端子台の角座金が、圧着端子を固定する様子を示す斜視図である。
【図９】同インバータが有するねじ端子台の角座金が、圧着端子を固定する様子を示す平面図である。
【図１０】同インバータが有するねじ端子台の角座金が、電線の芯線を固定する様子を示す平面図である。
【図１１】本発明の第２の実施の形態に係るインバータが有するねじ端子台の角座金が、圧着端子を固定する様子を示す平面図である。
【図１２】同インバータが有するねじ端子台の角座金が、電線の芯線を固定する様子を示す平面図である。
【発明を実施するための形態】
【００１２】
続いて、添付した図面を参照しつつ、本発明を具体化した実施の形態につき説明し、本発明の理解に供する。なお、各図において、説明に関連しない部分は図示を省略する場合がある。
【００１３】
〔第１の実施の形態〕
本発明の第１の実施の形態に係るインバータ（電動機制御装置及び電子機器の一例）１０は、図示しないモータを制御することができる。このインバータ１０は、軽負荷定格又は重負荷定格が選択できる２重定格を有している。従って、駆動するモータ容量に応じて、インバータ１０には複数のサイズの電線が接続される可能性がある。
インバータ１０は、図１に示すように、外部端子として、多極のねじ端子台１２を有している。
【００１４】
インバータ１０に接続される電流供給用の電線や、信号伝達用の電線の末端には、圧着端子Ｔ（図２、図９参照）が組み付けられる。圧着端子Ｔは、電線Ｃの芯線Ｃｓ（図９参照）に圧着される圧着部２２と、圧着部２２の先端側にねじ端子台１２に接続される接続部２４とを有している。電線Ｃは、圧着端子Ｔの圧着部２２から芯線Ｃｓが先端側に例えば１ｍｍ程度出た状態で圧着される（図９参照）。
電線Ｃは、この圧着端子Ｔの接続部２４がねじ端子台１２に接続されることにより、インバータ１０に電気的に接続される。なお、圧着端子Ｔではなく、電線Ｃの芯線Ｃｓが直接ねじ端子台１２に接続される場合もある。
【００１５】
ねじ端子台１２は、図２、図３Ａ〜図３Ｃ及び図４に示すように、ハウジング３０に納められた複数の端子部３２を有している。各端子部３２は、端子金具３８と、角座金（ねじ端子台用角座金）４０と、端子ねじ４２とを有している。
端子金具３８は、電線Ｃの末端の圧着端子Ｔの接続部２４が接続される。端子金具３８は、ねじ端子台１２から突出するリード部４４に電気的につながっている（図５参照）。リード部４４は、図１に示すヒートシンク５２に固定された基板５４に電気的に接続される。
角座金４０は、平面視して矩形状の部材である。角座金４０は、圧着端子Ｔの接続部２４又は電線Ｃの芯線Ｃｓに接触する。
端子ねじ４２は、圧着端子Ｔの接続部２４又は電線Ｃの芯線Ｃｓを角座金４０と端子金具３８との間にて挟み込み、固定することができる。端子ねじ４２は、端子ねじ４２の首部に角座金４０を保持することができる。
【００１６】
次に、角座金４０について詳細に説明する。
図６に示すように、角座金４０の各縁の中央部には、圧着端子Ｔの圧着部２２又は圧着部２２により圧着された芯線Ｃｓとの干渉を回避するための切り欠き部６０が形成されている。なお、切り欠き部６０は少なくとも１つの縁に形成されていれば良い。
同図６及び図７Ａに示すように、この切り欠き部６０は、縁に沿う開口幅（縁に沿う第１の方向の長さ）Ｗ１が、切り欠き部６０の深さ（第１の方向と交差する第２の方向の長さ）Ｄ１よりも広くなるように形成されている。また、切り欠き部６０は、その幅が開口側と反対の側（端子ねじ４２の側）に向かうに従って狭くなるように形成されている。
別の観点から説明すると、この切り欠き部６０は、端子ねじ４２の軸方向から見て（平面視して）台形状である。切り欠き部６０の縁に沿う部分が下底に相当し、端子ねじ４２の側の辺が上底に相当する。
また、各切り欠き部６０よりも内側の中央部には、端子金具３８の側に突出する突起部６４が形成されている（図６参照）。
【００１７】
一方、図６及び図７Ｂに示すように、角座金４０の角部には、それぞれ、切り欠き部６０を除いた縁の中央部から、端子金具３８の方向に折り曲げられた折り曲げ部６６が形成されている。この折り曲げ部６６の端子金具３８の側の面（圧着端子Ｔの接続部２４又は電線Ｃの芯線Ｃｓに接する側の面）は、例えば平面である。折り曲げ部６６の端子金具３８の側の面は、端子部３２に接続される芯線Ｃｓの表面に沿う曲面としても良い。即ち、折り曲げ部６６は、折り曲げ部６６が形成されていない場合よりも、端子部３２に接続された芯線Ｃｓとの接触面積を増大させることができれば良い。
【００１８】
従って、本実施の形態によれば、図８及び図９に示すように、圧着端子Ｔ又は圧着端子Ｔにより圧着された芯線Ｃｓとの干渉を回避するための切り欠き部６０が形成されているので、より小さいサイズの圧着端子Ｔを端子部３２に接続できる。即ち、より小さいサイズの電線Ｃをねじ端子台１２に接続できる。
また、切り欠き部６０の幅が開口側と反対の側に向かうに従って狭くなるように形成されているので、端子ねじ４２を締結する際に角座金４０が端子ねじ４２の中心軸回りにずれていても、圧着端子Ｔの固定が容易となる。
さらに、角座金４０の角部に折り曲げ部６６が形成されているので、電線Ｃの芯線Ｃｓを端子部３２に直接接続する場合（図１０参照）には、芯線Ｃｓと角座金４０との接触面積（ケーブルを保持する力）を確保できる。
【００１９】
〔第２の実施の形態〕
続いて、本発明の第２の実施の形態に係るインバータについて説明する。第１の実施の形態に係るインバータ１０と同一の構成要素については、同じ符号を付して詳しい説明を省略する。
【００２０】
本実施の形態に係るインバータに設けられたねじ端子台の角座金４０ａの縁には、図１１に示すように、圧着端子Ｔ又は圧着端子Ｔにより圧着された芯線Ｃｓとの干渉を回避するための第１の切り欠き部６１が１つの縁だけに形成されている。
また、第１の切り欠き部６１とは反対の側の縁には、第１の切り欠き部６１の開口方向を定める第２の切り欠き部６２が形成されている。ねじ端子台１２のハウジング３０には、この第２の切り欠き部６２に対応する突起（不図示）が設けられている。
この第２の切り欠き部６２は、縁に沿う開口幅（縁に沿う方向の長さ）Ｗ２が、第２の切り欠き部６２の深さ（縁に沿う方向と交差する方向の長さ）Ｄ２よりも広くなるように形成されている。また、第２の切り欠き部６２の開口幅Ｗ２は、その幅が開口側と反対の側に向かうに従って狭くなるように形成されている。
なお、第１の切り欠き部６１及び第２の切り欠き部６２が形成された縁とは異なる縁には、切り欠き部は形成されていない。
【００２１】
従って、本実施の形態によれば、圧着端子Ｔ又は圧着端子Ｔにより圧着された芯線Ｃｓとの干渉を回避するための第１の切り欠き部６１が形成されているので、より小さいサイズの圧着端子Ｔを端子部３２に接続できる。即ち、より小さいサイズの電線Ｃをねじ端子台１２に接続できる。
また、第１の切り欠き部６１の幅が開口側と反対の側に向かうに従って狭くなるように形成されているので、端子ねじ４２を締結する際に角座金４０ａが端子ねじ４２の中心軸回りにずれていても、圧着端子Ｔの固定が容易となる。
また、第２の切り欠き部６２をハウジング３０に形成された突起に嵌合させて、角座金４０ａの位置を合わせると、第１の切り欠き部６１の開口方向が定まるので、組み立て作業上のミスの発生が抑えられる。
さらに、電線Ｃの芯線Ｃｓを角座金４０ａと端子金具３８との間にて挟みこむ場合には、図１０及び図１２を対比すると明らかなように、角座金４０ａの芯線Ｃｓに接する部分に切り欠き部が形成されていないので、芯線Ｃｓと角座金４０ａとの接触面積（ケーブルを保持する力）をより大きく確保できる（図１２参照）。
【００２２】
なお、本発明は、前述の実施の形態に限定されるものではなく、本発明の要旨を変更しない範囲での変更は可能である。例えば、前述の実施の形態や変形例の一部又は全部を組み合わせて発明を構成する場合も本発明の技術的範囲に含まれる。
【００２３】
圧着端子Ｔは、前述の実施の形態に限定されるものではない。圧着端子Ｔは、例えば、裸圧着端子及び絶縁被覆付圧着端子等、任意の種類の圧着端子が適用可能である。
圧着端子Ｔの接続部の形状は、丸型に限定されるものではない。圧着端子の接続部の形状は、例えば、先開形であっても良い。
電気機器はインバータに限定されるものではない。電気機器の他の例として、制御装置や計測器等が挙げられる。
【符号の説明】
【００２４】
１０：インバータ、１２：ねじ端子台、２２：圧着部、２４：接続部、３０：ハウジング、３２：端子部、３８：端子金具、４０、４０ａ：角座金、４２：端子ねじ、４４：リード部、５２：ヒートシンク、５４：基板、６０：切り欠き部、６１：第１の切り欠き部、６２：第２の切り欠き部、６４：突起部、６６：折り曲げ部、Ｔ：圧着端子、Ｃ：電線、Ｃｓ：芯線